(57)【特許請求の範囲】
【請求項１】
破砕装置において、
固定ケース（７０）と、
この固定ケース（７０）に取り付けられた可動ケース（８０）と
を有する分割式のケース（３１）を備え、
前記可動ケース（８０）は、前記固定ケース（７０）の上部側に回動機構（３９）を介して上下に回動自在に取り付けられ、
前記ケース（３１）は少なくとも、前記可動ケース（８０）が破砕作業可能な状態にある作業姿勢と、前記回動機構（３９）により前記可動ケース（８０）に対して下向きに動作した状態にある輸送姿勢とを含む複数の姿勢に維持可能とされ、
前記固定ケース（７０）の上縁（７２４）は、前記可動ケース（８０）の上縁（８２０）よりも下方に位置し、
前記作業姿勢および前記輸送姿勢では、前記固定ケース（７０）の上縁（７２４）は、前記可動ケース（８０）の下縁（８２１）の内側または外側にあって、側面視で前記上縁（７２４）と前記下縁（８２４）とは横方向に重なっている
ことを特徴とする破砕装置（３０）。
【請求項２】
請求項１に記載の破砕装置（３０）において、
前記可動ケース（８０）には、被破砕物の投入口（３１Ａ）を形成する部位と一体に軒部（８３）が設けられている
ことを特徴とする破砕装置（３０）。
【請求項３】
請求項１または請求項２に記載の破砕装置（３０）において、
前記回動機構（３９）は、前記ケース（３１）内に被破砕物を投入するための投入口（３１Ａ）とは反対側に設けられている
ことを特徴とする破砕装置（３０）。
【請求項４】
移動式破砕機において、
走行部（１０）を備えた基台部（２）と、
動力部（４）と、
被破砕物を破砕する破砕装置（３０）とを搭載し、
前記破砕装置（３０）は、固定ケース（７０）と、この固定ケース（７０）に取り付けられた可動ケース（８０）とを有する分割式のケース（３１）を備え、
前記可動ケース（８０）は、前記固定ケース（７０）の上部側に回動機構（３９）を介して上下に回動自在に取り付けられ、
前記ケース（３１）は少なくとも、前記可動ケース（８０）が破砕作業可能な状態にある作業姿勢と、前記回動機構（３９）により前記可動ケース（８０）に対して下向きに動作した状態にある輸送姿勢とを含む複数の姿勢に維持可能とされ、
前記固定ケース（７０）の上縁（７２４）は、前記可動ケース（８０）の上縁（８２０）よりも下方に位置し、
前記作業姿勢および前記輸送姿勢では、前記固定ケース（７０）の上縁（７２４）は、前記可動ケース（８０）の下縁（８２１）の内側または外側にあって、側面視で前記上縁（７２４）と前記下縁（８２４）とは横方向に重なっている
ことを特徴とする移動式破砕機（１）。
【発明の詳細な説明】
【０００１】
【発明の属する技術分野】
本発明は、破砕装置および破砕装置を搭載した移動式破砕機に係り、具体的には、分割式のケースを備えた破砕装置、およびこの破砕装置が搭載された移動式破砕機に関する。
【０００２】
【背景技術】
砕石場や建物の解体現場等に搬入される移動式破砕機は、例えばクローラ式の走行部を備えていることで現場内を自走可能であるが、そのような現場までの一般公道を自走することはできないために、専らトレーラによって輸送される。
【０００３】
一方、このような移動式破砕機に搭載される破砕装置としては通常、被破砕物の投入口が設けられたケースを備えている。
このケースは、例えば図２０に示すインパクトクラッシャ（破砕装置）９のケース９００でいえば、移動式破砕機の図示しない基台部に固定される固定ケース９０１と、固定ケース９０１にピン接合された可動ケース９０２とを有する分割式であり、固定ケース９０１側に投入口９０３が設けられている。
【０００４】
このようなケース９００では、左右に２分するように固定ケース９０１および可動ケース９０２の分割ラインＳ−Ｓが設けられ、油圧シリンダ９０４によって可動ケース９０２が接合部分のピン９０５を中心に回動する。そして、可動ケース９０２を分割ラインＳ−Ｓから離間させ、開いた状態にすれば、インパクトクラッシャ内の修理・点検等を実施することが可能である。また、可動ケース９０２を開いた場合、固定ケース９０１側には上面部９０１Ａが存在し、可動ケース９０２の開閉に関係なくケース９００の高さ寸法が同じに維持される。
【０００５】
【発明が解決しようとする課題】
ところで、破砕装置としては、砕石現場や解体現場での作業効率を向上させるために、大きな岩、大きなコンクリート塊、あるいはアスファルト塊でも容易に破砕できるよう、より大型のものが要求される場合がある。
しかしながら、搭載される破砕装置を大型化すると、破砕装置のケースも大型化してその高さ寸法が大きくなるため、トレーラでの輸送時に高さ制限を越えてしまう可能性がある。従って、このような場合には、破砕装置と走行部側とを解体して個別に輸送する必要があるうえ、現場での再度の組み立て作業が生じるなど、その作業に手間がかかるという問題がある。
【０００６】
本発明の第１の目的は、ケースを大型化しても、輸送時の高さ制限を確実にクリアできる破砕装置および破砕装置を搭載した移動式破砕機を提供することにある。
【０００７】
また、図２０で示した従来のケース９００によれば、可動ケース９０２が開いた状態では、該可動ケース９０２が下側のピン９０５を支点にして前方側（図中の右側であって、投入口９０３とは反対側）にはみ出すように回動するため、ケース９００の前方側を広く空けておく必要があり、この空間が可動ケース９０２を開くとき以外ではデッドスペースになっていた。従って、デッドスペースの大きさによっては、その分だけ移動式破砕機の全長が長くなって機動性が損なわれるおそれがある。
【０００８】
本発明の第２の目的は、ケースを開く際に要するスペースを小さくできる破砕装置および破砕装置を搭載した移動式破砕機を提供することにある。
【０００９】
【課題を解決するための手段と作用効果】
本発明の請求項１に記載の破砕装置は、固定ケースと、この固定ケースに取り付けられた可動ケースとを有する分割式のケースを備え、前記可動ケースは、前記固定ケースの上部側に回動機構を介して上下に回動自在に取り付けられ、前記ケースは少なくとも、前記可動ケースが破砕作業可能な状態にある作業姿勢と、前記回動機構により前記可動ケースに対して下向きに動作した状態にある輸送姿勢とを含む複数の姿勢に維持可能とされ、前記固定ケースの上縁は、前記可動ケースの上縁よりも下方に位置し、前記作業姿勢および前記輸送姿勢では、前記固定ケースの上縁は、前記可動ケースの下縁の内側または外側にあって、側面視で前記上縁と前記下縁とは横方向に重なっていることを特徴とする。
【００１０】
このような破砕装置においては、固定ケースの上縁が可動ケースの上縁よりも下方に位置しているので、固定ケースの上縁より高い位置に可動ケースが取り付けられることになる。このため、輸送時において、可動ケースを動かして可動ケース自身の高さ位置を低くしたり、あるいは可動ケースを固定ケース上から外す等すれば、ケースを大型化しても輸送時のケース全体の高さ寸法が小さくなり、高さ制限が確実にクリアされる。
そして、このような破砕装置においては、固定ケースと可動ケースとを接合する回動機構がケース全体の上部側に設けられているので、可動ケースの回動動作がより高い位置で行われるようになる。従って、回動機構よりも低い位置では、ケースを開く際に要するスペースがほとんど不要になり、従来ではデッドスペースであったスペースが有効に利用されるようになる。
以上により、前記第１、第２の目的を達成できる。
【００１１】
また、このような破砕装置では、固定ケースおよび可動ケースのうちの一方が他方に呑み込まれるから、固定ケースから可動ケースを完全に取り外すことなく、ケースの高さ寸法が容易に小さくなる。
【００１２】
さらに、このような破砕装置によれば、被破砕物の破砕を行う破砕作業時には、可動ケースが閉じた状態の作業姿勢に維持され、トレーラ等での輸送時には、可動ケースが下向きに動作した状態の輸送姿勢に維持される。このため、各状態での姿勢維持によって破砕作業途中および輸送途中での不意な姿勢変化が防止され、破砕作業および輸送が確実に行われる。
なお、可動ケースを作業姿勢や輸送姿勢の他、開いた状態のメンテナンス姿勢に維持可能に設けてもよい。
【００１３】
請求項２に記載の破砕装置は、請求項１に記載の破砕装置において、前記可動ケースには、被破砕物の投入口を形成する部位と一体に軒部が設けられていることを特徴とする。
可動ケースを動作させることで、輸送時のケース全体の高さ寸法が小さくなる本発明の破砕装置によれば、破砕作業可能な状態においては、可動ケースの高さ位置を十分に高く設定し、投入口を大きく設けることができる。しかし、投入口を大きくすると、より大きな被破砕物を投入できる反面、破砕時に弾けた被破砕物がケースの内部から飛び出し易くなる。
そこで、稼働ケースにおける投入口を形成する部位に軒部を設け、弾けた被破砕物が軒部にぶつかるようにすれば、被破砕物の外部への飛散が有効に防止される。
なお、このような軒部に鎖や暖簾状の垂下部材等を吊着することで、被破砕物の飛散をより確実に防止してもよい。
【００１６】
請求項３に記載の破砕装置は、請求項１または請求項２に記載の破砕装置において、前記回動機構は、前記ケース内に被破砕物を投入するための投入口とは反対側に設けられていることを特徴とする。
このような破砕装置では、回動機構が投入口とは反対側に設けられ、しかもこの回動機構が上部側に位置しているから、可動ケースを所定の角度だけ上向に回動させた場合など、回動機構が下部寄りにある場合に比して、投入口がより上方に拡がるように大きくなり、投入口への被破砕物の投入が一層容易になる。
【００１７】
本発明の請求項４に記載の移動式破砕機は、走行部を備えた基台部と、動力部と、被破砕物を破砕する破砕装置とを搭載し、この破砕装置は、固定ケースと、この固定ケースに取り付けられた可動ケースとを有する分割式のケースを備え、前記可動ケースは、前記固定ケースの上部側に回動機構を介して上下に回動自在に取り付けられ、前記ケースは少なくとも、前記可動ケースが破砕作業可能な状態にある作業姿勢と、前記回動機構により前記可動ケースに対して下向きに動作した状態にある輸送姿勢とを含む複数の姿勢に維持可能とされ、前記固定ケースの上縁は、前記可動ケースの上縁よりも下方に位置し、前記作業姿勢および前記輸送姿勢では、前記固定ケースの上縁は、前記可動ケースの下縁の内側または外側にあって、側面視で前記上縁と前記下縁とは横方向に重なっていることを特徴とする。
【００１８】
このような移動式破砕機においては、請求項１に記載の破砕装置が搭載されるので、前述の請求項１で説明したように、破砕装置のケースを大型化しても輸送時のケースの高さ寸法が小さくなり、移動式破砕機ごとトレーラ等で輸送する場合でも、高さ制限が確実にクリアされ、やはり、本発明の第１の目的を達成できる。
さらに、高さ制限がクリアされることにより、破砕装置などを基台部側とは別に輸送する必要がなくなるので、これらを現場で再度組み立てるといった手間が不要になる。
また、請求項１と同様な構成により、スペースの有効利用に関して、本発明の第２の目的を達成できる。
【００２０】
このような移動式破砕機においては、請求項４に記載の破砕装置が搭載されるので、前述の請求項４で説明したように、破砕装置のケースを開く際に要するスペースが小さくなるから、本発明の第２目的を達成できる。
加えて、このような破砕機を搭載した場合、破砕機周りのデッドスペースが小さくなるため、その分移動式破砕機がコンパクトになり、機動性が向上する。特に、旋回性能が向上し、狭い現場でも確実に稼働できる。
【００２１】
【発明の実施の形態】
以下、本発明の一実施形態を図面に基づいて説明する。
図１は、本実施形態に係る移動式破砕機１の全体を示す側面図、図２は、移動式破砕機１を被破砕物の投入側から見た図、図３は、移動式破砕機１の平面図である。
【００２２】
〔移動式破砕機の全体の説明〕
図１ないし図３において、移動式破砕機１は、基台部２上に作業機３および動力部４を載置した構成である。
基台部２は、作業現場内を自走するための一対のクローラ式の走行部１０と、この走行部１０が取り付けられ、かつ前記作業機３および動力部４が載置されたフレーム２０とを備えている。
作業機３は、基台部２の略中央に搭載された破砕装置としてのインパクトクラッシャ（以下、クラッシャと称す）３０と、クラッシャ３０に被破砕物を供給する被破砕物供給部４０と、破砕された破砕物を排出する排出ベルトコンベア５０とを備えている。
動力部４は、走行部１０、クラッシャ３０、および排出ベルトコンベア５０等の動力源であり、図示しないエンジンと、このエンジンで駆動される油圧ポンプと、油圧ポンプからの作動油をコントロールするコントロールバルブ等を備えている。動力部４の上部側には、移動式破砕機１の走行操作および旋回操作を行う走行レバー４Ａや、走行用のインジケータ類が配置された上部コントロールボックス（不図示）が設けられ、動力部４の側部近傍には、作業機３を操作するための側部コントロールボックス（不図示）が設けられている。
【００２３】
以下には、説明の便宜上、移動式破砕機１の排出ベルトコンベア５０側を前方（図１中の右側）とし、被破砕物供給部４０側を後方（図１中の左側）とし、この前後方向に直交する向き（図２中の左右方向）を横方向として、各部位の説明を行う。
【００２４】
走行部１０は、フレーム２０の一部を形成するクローラフレーム２２に設けられ、クローラフレーム２２の前方側に油圧モータ１１を備えている。油圧モータ１１のスプロケット１１Ａと他端側のアイドラー１２とには、当該油圧モータ１１で駆動される無限軌道のクローラベルト１３が巻回されている。そして、油圧モータ１１は、コントロールバルブを介して動力部４の油圧ポンプからの油圧で駆動される。
【００２５】
フレーム２０は、一対の前記クローラフレーム２２の他、これらのクローラフレーム２２が取り付けられるメインフレーム２１を備えている。メインフレーム２１上にはさらに、被破砕物供給部４０を載置するためのホッパフレーム２３と、動力部４を載置するためのエンジンフレーム２４とが固定されている。
【００２６】
クラッシャ３０は、図４、図５に示すように、被破砕物の投入口３１Ａを有したケース３１を備え、ケース３１内には、ロータ本体３２１および打撃板３２２を有したロータ３２と、打撃板３２２先端の回転軌跡Ａから隙間を空けて位置した反発板３３とが配置されている。
このようなクラッシャ３０では、投入口３１Ａから投入された被破砕物は、回転する打撃板３２２で打撃されたり、打撃時に飛ばされて反発板３３に衝突することで破砕され、ケース３１の底面側の排出口３１Ｂから排出ベルトコンベア５０上に落ちて排出される。
【００２７】
被破砕物供給部４０は、被破砕物が積み込まれるホッパ４１と、ホッパ４１の下方に若干の隙間を持って配置されたグリズリ（篩い）フィーダ４２とを備えている。
ホッパ４１は、四方の支持部４１１を介してフレーム２０のホッパフレーム２３上に支持され、上方に向けて大きく拡開している。
フィーダ４２は、動力部４からの油圧で駆動される振動装置４２１有した振動式であって、複数のコイルバネ４２２を介してホッパフレーム２３上に支持され、ホッパ４１と接触しないよう前述の隙間内で振動し、被破砕物をクラッシャ３０側に送る。この際、ホッパ４１およびフィーダ４２の端部は、図４中に二点鎖線で示すように、クラッシャ３０の投入口３１Ａに呑み込まれており、被破砕物がクラッシャ３０内に確実に投入される。
また、フィーダ４２は、被破砕物をクラッシャ３０に供給する機能の他、破砕不要な小さな投入物を櫛状のグリズリ部４２３（図３）で選別し、下方に篩い落とす機能を有している。篩い落とされた投入物は、図１ないし図３に示す別のベルトコンベア４３上に落ちて排出されるか、図示しないダンパーを切り換えることで、排出ベルトコンベア５０上に落ち、破砕物と一緒に排出される。
【００２８】
排出ベルトコンベア５０は、その移送方向の基端側（図１中の左側）がフレーム２０の下側に位置し、クラッシャ３０の排出口３１Ｂから排出された破砕物や、必要に応じて排出されるグリズリ部４２３からの排出物（前記投入物に同じ）を先端側（図１中の右側）に移送する。また、排出ベルトコンベア５０は、３段折り曲げ構造であり、先端側での排出高さが十分に確保され、２次ベルトコンベアなしでも作業が確実に行える。この排出ベルトコンベア５０も、動力部４からの油圧で駆動される。
排出ベルトコンベア５０の中程には、フレーム２０に支持されるようにして磁選機５１が配置され、コンクリート塊の破砕時に出る鉄筋等の金属材を永久磁石で磁着し、付属のベルトコンベアで排出する。
【００２９】
〔クラッシャの説明〕
以下には、図４、図５を参照し、クラッシャ３０について詳説する。
先ず、クラッシャ３０のロータ３２は、横方向の両端側がケース３１外部の図示しない軸受に支持され、一端側にプーリ３４を備えている。また、ケース３１の外部には、二点鎖線で示した油圧モータ３５が配置され、この油圧モータ３５のプーリ３６および前記プーリ３４にはＶベルト３７が巻回されている。つまり、ロータ３２は、Ｖベルト３７を介して油圧モータ３５で回転駆動される。そして、この油圧モータ３５も、コントロールバルブを介して動力部４の油圧ポンプからの油圧で駆動される。
【００３０】
ロータ３２の打撃板３２２は、横方向（ロータ本体３２１の軸線方向）に沿ってケース３１の横幅よりもやや狭い範囲にわたって連続して設けられ、ロータ本体３２１の周方向に等間隔で複数枚（本実施形態では４枚）突設されている。また、打撃板３２２は着脱自在であり、その摩耗状態に応じて反転させて用いられたり、新たな打撃板と交換される。
【００３１】
次に、図５において、クラッシャ３０の反発板３３は、投入口３１Ａ（図４）側からロータ３２の回転方向に沿って順に第１反発板３３１、第２反発板３３２、および第３反発板３３３とされている。
【００３２】
第１反発板３３１は他よりも大きく、投入当初の大きな被破砕物を確実に受け止めることが可能である。第１反発板３３１の裏面側には、一対の係止用突部３３１Ａが設けられており、この係止用突部３３１Ａは、第１アーム３３４の下部側の係止部３３４Ａ間に係止されるとともに、一方の係止部３３４Ａに設けられたネジ式の固定具３３４Ｂと、横方向の端部側に設けられた止め具３３４Ｃで保持されている。このような第１反発板３３１は、横方向に複数枚密着して並設されており、固定具３３４Ｂおよび止め具３３４Ｃを解除することで、それぞれが横方向に挿抜可能とされ、その摩耗状態に応じて反転させて用いられたり、新たな反発板と交換される。
【００３３】
第２、第３反発板３３２，３３３は同一形状とされ、裏面側の係止用突部３３２Ａ，３３３Ａを介して、第２アーム３３５の下部側に設けられた係止部３３５Ａ間にそれぞれ、固定具３３５Ｂおよび止め具３３５Ｃで保持される。これらの第２、第３反発板３３２，３３３もやはり、第２アーム３３５に対して挿抜可能とされ、摩耗状態に応じて交換される。ただし、さほど大きくない第２、第３反発板３３２，３３３は、破砕作業による摩耗が全体的に均一に生じるため、反転して用いられることはないが、第１反発板３３１と同様に、反転可能に構成されていてもよい。
【００３４】
第１、第２アーム３３４，３３５はそれぞれ、横方向に間隔を空けて一対並設され、それぞれ連結プレート３３４Ｄ，３３５Ｄおよび連結バー３３４Ｅ、３３５Ｅで一体に連結されている。また、各第２アーム３３５は、一対の第１アーム３３４の内側に配置されている。第１、第２アーム３３４，３３５の上部側は、ケース３１内上方に回動軸３８で共に軸支されている。これに対して、第１、第２アーム３３４，３３５の下部側は、連結バー３３４Ｅ、３３５Ｅに取り付けられた伸縮自在な第１、第２隙間調整装置６０（６１，６２）によって吊着されている。
【００３５】
このような第１、第２隙間調整装置６１，６２は、上端側の駆動部６３の油圧モータ６４を駆動することで伸縮する構造であり、例えば、ナット状部材およびボルト状部材を有したネジ式等が採用される。第１、第２隙間調整装置６１，６２を伸縮させることにより、第１、第２アーム３３４，３３５が回動軸３８を中心に回動し、打撃板３２２先端の回転軌跡Ａおよび第１〜第３反発板３３１〜３３３間の各隙間Ｃ１，Ｃ２，Ｃ３の大きさを調整することが可能である。
【００３６】
なお、第２隙間調整装置６２では、第２、第３反発板３３２，３３３のうち、第３反発板３３３での隙間Ｃ３を調整する。これは、隙間Ｃ３を調整することが、破砕物の最終的な粒度を決定するうえで重要だからである。このため、同じ第２アーム３３５に設けられた第２反発板３３２での隙間Ｃ２の調整は、第２、第３反発板３３２，３３３の互いの位置関係から、隙間Ｃ３を調整することで自ずと完了する。
【００３７】
また、第１アーム３３４には、第１隙間調整装置６１の伸び方向への回動量を規制するために、屈曲式の規制リンク３３６が設けられている。この規制リンク３３６によれば、第１隙間調整装置６１の過大な伸びが防止され、第１アーム３３４の回動量が規制される。一方、第２アーム３３５では、第１アーム３３４との当接により、その回動量が規制される。
さらに、第１アーム３３４において、第１反発板３３１の上方には、やはり挿抜自在とされたライナ３３７が取り付けられ、被破砕物等から第１アーム３３４を保護している。
【００３８】
〔クラッシャのケースの詳細な説明〕
続いて、図４ないし図６を参照し、クラッシャ３０のケース３１について詳説する。
図６において、ケース３１は、フレーム２０（図１）に固定される固定ケース７０と、固定ケース７０の上部側に取り付けられた可動ケース８０とを有する分割式であり、固定ケース７０内にロータ３２が配置され、図５に示すように、可動ケース８０に第１〜第３反発板３３１〜３３３、第１、第２アーム３３４，３３５、および第１、第２隙間調整装置６１，６２が取り付けられている。
【００３９】
固定ケース７０は、投入口３１Ａの下方側に設けられた正面部７１と、横方向の両側に設けられた固定ケース側側面部７２と、正面部７１に対して対向した位置に設けられた背面部７３とを有する箱状とされ、上側が全て開口し、従来のような上面部９０１Ａ（図２０）が存在しない。すなわち、図４に示す状態では、固定ケース７０のいずれの部位も、可動ケース８０よりも低い位置にある。
【００４０】
各固定ケース側側面部７２のそれぞれには、二つの点検扉７２０，７２１，７２２，７２３が設けられており、これらの点検扉７２０〜７２３を開けることで、前述の隙間Ｃ１〜Ｃ３の大きさを確認したり、打撃板３２２や第１〜第３反発板３３１〜３３３の摩耗状態を点検したり、さらには、ケース３１の底側の排出口３１Ｂでの破砕物の詰まり具合などを点検することが可能である。ただし、点検扉の大きさや数等は、その実施にあたって任意に決められてよい。
【００４１】
また、図４に示す固定ケース側側面部７２において、その上縁７２４（点線で図示）は、最も高い位置にある第１水平部７２４Ａと、投入口３１Ａから離間するに従って下方に位置するよになる傾斜部７２４Ｂと、最も低い位置にある第２水平部７２４Ｃとを含む段差状に形成されている。このような上縁７２４は、可動ケース８０が固定ケース７０の上部側の全域を覆うように取り付けられることから、図４に示す状態では、可動ケース８０の上縁（稜線部分）８２０よりも下方に位置している。
【００４２】
上縁７２４の背面部７３側の上部、すなわちケース３１の投入口３１Ａとは反対側であって、ケース３１全体の中でも上部側の位置には、可動ケース８０を回動自在に軸支する回動機構３９が設けられている。
この回動機構３９は、図７にも示すように、固定ケース７０に設けられた固定ケース側筒状部３９１と、可動ケース８０側に設けられて、固定ケース側筒状部３９１の外側に位置する可動ケース側筒状部３９２と、これらの筒状部３９１，３９２に挿通されるケース用支持ピン３９３とを有して構成され、このケース用支持ピン３９３のフランジ部３９３Ａが可動ケース側筒状部３９２にボルト３９３Ｂで固定されている。このような回動機構３９により、可動ケース８０はケース用支持ピン３９３を回動軸として回動する。
【００４３】
この際、固定ケース７０と可動ケース８０とは、回動機構３９より少し投入口３１Ａ側において、油圧シリンダ３９４で連結されている。この油圧シリンダ３９４は、可動ケース８０の回動時に作動し、大重量となる可動ケース８０の回動動作をアシストする。このような油圧シリンダ３９４は、上側がシリンダで、下側がロッドとなるように配置され、シリンダのロッド側の端部に砂塵等が堆積するのを防止し、パッキン等の耐久性の向上が図られている。
【００４４】
図８（Ａ）、（Ｂ）には、油圧シリンダ３９４と可動ケース８０との連結部分の構造が示されている。この図に示すように、可動ケース８０の下縁８２１には、下方に突出した二枚の連結片８２１Ａが設けられ、これらの連結片８２１Ａ間に油圧シリンダ３９４の取付環３９４Ａが挿入され、これらをシリンダ用ピン３９５が貫通している。シリンダ用ピン３９５は、そのフランジ部３９５Ａを貫通する一本のボルト３９５Ｂで連結片８２１Ａに固定されている。
【００４５】
なお、図７、図８（Ｂ）において、固定ケース７０の内面には、この内面を被破砕物の衝突から保護するための金属製のライナ３１１が張設されている。このようなライナ３１１は、固定ケース側側面部７２を貫通する外側からのボルト等で固定されている。ただし、固定ケース７０の内面であっても、第１〜第３反発板３３１〜３３１よりも前方（裏側）の部分には、被破砕物が回り込んで来る可能性が少ないため、そのようなライナ３１１は設けられていない。勿論、可動ケース８０の内面においても、被破砕物が衝突する可能性のある部分には、ライナ３１１が同様に張設されている。
【００４６】
以上のような固定ケース７０の両側の固定ケース側側面部７２において、その上縁７２４の直ぐ下方には、図６、図７に示すように、当該上縁７２４に沿って外側に突出した固定ケース側取付部７４が設けられている。この固定ケース側取付部７４は、別部材の溶着等によって形成され、後述の中間取付具９０を取り付ける部位として用いられるとともに、薄板状の固定ケース側側面部７２を補強し、また、中間取付具９０の固定に用いられるボルト９３のネジ部を十分に刻設するために、固定ケース側側面部７２の板厚を補っている。
【００４７】
一方、可動ケース８０は、図４、図６に示すように、固定ケース７０の上側開口を覆うように設けられた上面部８１と、上面部８１の横方向の両側に鉛直に設けられた可動ケース側側面部８２とを有する蓋状であり、可動ケース８０自身の後方側の端縁で投入口３１Ａの一部を形成している。
【００４８】
可動ケース８０の投入口３１Ａを形成する部分は、従来のケース９００（図２０）に比して被破砕物供給部４０側に延出して設けられており、この延出した部分が可動ケース８０と一体の軒部８３（図４）になっている。
本実施形態のケース３１は、従来のケース９００に比して大型であり、高さ寸法も大きく、投入口３１Ａの開口面積も大きい。このため、破砕作業時には、投入口３１Ａに対して大きな被破砕物を投入できる反面、ケース３１内で弾かれた被破砕物が投入口３１Ａから飛び出し易くなる。従って、フィーダ４２側に延びた軒部８３を設けることにより、被破砕物がこの軒部８３に当たり、飛び出しを有効に防止することが可能である。
さらに、この軒部８３には、図４のみに図示するが、投入口３１Ａを塞ぐように鉄製の鎖８３１およびゴム製で暖簾状の垂下部材８３２が吊着され、ケース３１内からの被破砕物の飛散をより確実に防止している。
【００４９】
このような可動ケース８０の上面部８１は、投入口３１Ａ側に向かって緩やかに拡開しており、より大きな投入口３１Ａを実現している。また、図５に示すように、上面部８１の投入口３１Ａとは反対側の位置には、第１、第２隙間調整装置６１，６２が挿通される一対の挿通孔８１Ａが穿設されており、これらの挿通孔８１Ａ周りに、第１、第２隙間調整装置６１，６２の各駆動部６３が取り付けられている。
【００５０】
可動ケース側側面部８２は、固定ケース７０の固定ケース側側面部７２よりも外側に位置し、可動ケース側側面部８２の下縁８２１部分が、固定ケース側側面部７２の上側である上縁７２４部分を呑み込んで設けられている。つまり、本実施形態のケース３１では、上縁７２４部分および下縁８２１部分が横方向に重なっており、この重なり部分に沿って、固定ケース７０および可動ケース８０の分割ラインＳ−Ｓが設けられている。
【００５１】
可動ケース側側面部８２の下縁８２１部分には、図９にも拡大して示すように、当該下縁８２１に沿った水平な可動ケース側取付部８４が設けられている。可動ケース側取付部８４の適宜な箇所には、横方向の外側に延出した延出部８４１が設けられ、この延出部８４１には、長孔状の切欠部８４２が穿設されている。
【００５２】
〔可動ケースの取付構造、回動動作、および姿勢の説明〕
クラッシャ３０のケース３１において、可動ケース８０は、固定ケース７０に対して中間取付具９０を介して取り付けられている。
中間取付具９０は、図４、図６に示すように、固定ケース側側面部７２の上縁７２４に沿って屈曲した連続部材であり、かつ図１０、図１１に示すように、鉛直部９１および水平部９２を有した断面Ｔ字形状である。
また、図１０、図１１において、中間取付具９０は、固定ケース側側面部７２の固定ケース側取付部７４に対し、鉛直部９１を貫通するボルト９３で固定され、水平部９２の一端側が固定ケース側取付部７４の上面で形成される受け部７４１に載置されている。
【００５３】
ここで、可動ケース側取付部８４の内縁は、固定ケース側取付部７４の外縁よりも外側に位置しており、中間取付具９０の水平部９２を受け部７４１から外すと、可動ケース８０全体が下方に沈み込み、固定ケース７０の上部側をより呑み込むことが可能である。
【００５４】
このような中間取付具９０の水平部９２において、可動ケース側取付部８４の切欠部８４２（図９）に対応した位置には、回動自在なアイボルト９４が取り付けられている。アイボルト９４の環状部９４１は、水平部９２の下面に設けられた二枚の支持片９２１間に配置され、この環状部９４１には、支持片９２１間に支持された軸部材９２２が挿通され、よってアイボルト９４全体が軸部材９２２を中心に回動可能である。そして、アイボルト９４を回動させ、ネジ部９４２を上向きにした状態では、このネジ部９４２が水平部９２の切欠部９２３に入り込み、水平部９２上から鉛直に突出する。
【００５５】
この水平部９２の上面には、可動ケース８０の可動ケース側取付部８４が載置される。可動ケース側取付部８４が載置された状態では、アイボルト９４のネジ部９４２が可動ケース側取付部８４の切欠部８４２にも入り込み、このネジ部９４２に螺合したナット９４３により、可動ケース側取付部８４と中間取付具９０とが接合され、可動ケース８０全体が中間取付具９０上に保持される。
【００５６】
そして、可動ケース８０が中間取付具９０で保持された状態、すなわち、図４に示す状態は、可動ケース８０の破砕作業時の姿勢であり、この作業姿勢時において、被破砕物が投入口３１Ａから投入され、破砕作業を実施する。従って、可動ケース８０は通常、この作業姿勢に維持されることが多い。
【００５７】
次に、図１２、図１３に基づき、可動ケース８０を上方に開ける動作について説明する。
可動ケース８０を開けるには先ず、図１２に示すように、中間取付具９０のアイボルト９４に螺合されたナット９４３をゆるめ、ネジ部９４２が下方を向くようにアイボルト９４を回動させる。このことにより、ネジ部９４２を可動ケース８０側の切欠部８４２から外し、可動ケース８０と中間取付具９０との接合状態を解除する。この後、油圧シリンダ３９４のアシストを伴って、可動ケース８０を上方に開ける。
【００５８】
図１３には、可動ケース８０を上方に開けた状態が示されている。この状態では、投入口３１Ａも２分されるとともに、固定ケース７０の上縁７２４の全域が露出する。また、この状態では、第１〜第３反発板３３１〜３３３が完全に露出し、これら第１〜第３反発板３３１〜３３３の横方向からの挿抜が、固定ケース７０によって遮られことなく確実に行え、それらの反転作業や交換作業が容易に行える。
すなわち、図１３に示すように、可動ケース８０が開けられた状態は、可動ケース８０のメンテナンス姿勢である。
【００５９】
また、このメンテナンス姿勢では、可動ケース８０が上部側にある回動機構３９を中心に回動しているため、可動ケース８０を最大に開いた場合でも、固定ケース７０の前方には可動ケース８０が大きくはみ出さず、この固定ケース７０の背面部７３に動力部４を近づけて配置することが可能である。
【００６０】
さらに、可動ケース８０がメンテナンス姿勢にあるとき、回動機構３９近傍では、固定ケース７０と可動ケース８０との重なり部分に、これらを貫通するロックピン３９６が挿入され、可動ケース８０が不意に閉まるのを機械的に防止している。
【００６１】
以下に、図１４、図１５に基づき、可動ケース８０を下方に沈み込ませる動作について説明する。
可動ケース８０を下方に沈み込ませるむ動作は先ず、図１４に示すように、中間取付具９０のボルト９３を外すとともに、アイボルト９４に螺合されたナット９４３をゆるめ、中間取付具９０を固定ケース側取付部７４から離間させるよう横方向にスライドさせ、中間取付具９０の水平部９２を固定ケース側取付部７４の受け部７４１から外す。
【００６２】
この際、中間取付具９０のスライドは、油圧シリンダ３９４を動作させて可動ケース８０を中間取付具９０ごと若干浮かし、可動ケース８０の重量が中間取付具９０にかからない状態で行われる。また、このときの中間取付具９０のスライド量は、アイボルト９４のネジ部９４２が可動ケース側取付部８４の切欠部８４２から外れない程度である。中間取付具９０のスライドの後には、ナット９４３を軽く締め、中間取付具９０を可動ケース側取付部８４から脱落しない程度に取り付けておく。
【００６３】
この後、図中の二点鎖線で示すように、可動ケース８０の投入口３１Ａ側を、油圧シリンダ３９４のアシストを伴って、ゆっくりと下方に沈み込ませる。
ここで、固定ケース側取付部７４と可動ケース側取付部８４は、前述したように、上下方向に互いに干渉しない位置に設けられているから、可動ケース８０を沈み込ませた場合でも、可動ケース側取付部８４が固定ケース側取付部７４に接触しないようになっている。
【００６４】
図１５には、可動ケース８０を下方に沈み込ませた状態が示されている。この状態では、固定ケース７０の固定ケース側側面部７２の上側が可動ケース８０内に大きく呑み込まれ、可動ケース８０の上縁８２０が固定ケース７０の上縁７２４と略平行になる。このため、ケース３１全体の高さは、前述した作業姿勢に比較して格段に低くなる。
すなわち、図１５に示すように、可動ケース８０が沈み込んだ状態は、輸送時の高さ制限をクリアするための姿勢であり、可動ケース８０の輸送姿勢である。
【００６５】
また、可動ケース８０が輸送姿勢にあるとき、可動ケース８０の可動ケース側取付部８４は、固定ケース側側面部７２に設けられた当接部７２５に当接され、可動ケース８０の重量をこの当接部７２５で受けることで、輸送姿勢が良好に維持される。そして、ホッパ４１およびフィーダ４２の端部は、投入口３１Ａ内に呑み込まれているが、十分に低い位置にあるため、可動ケース８０が沈み込んで投入口３１Ａが狭くなっても、可動ケース８０と接触することはない。
【００６６】
ところで、可動ケース８０は、作業姿勢、メンテナンス姿勢、および輸送姿勢の他、ライナ交換姿勢がある。以下には、このライナ交換姿勢について説明する。
図１６において、可動ケース８０は、第１〜第３反発板３３１〜３３３などと一体に回動する回動側可動ケース８０１と、投入口３１Ａ側の投入口側可動ケース８０２とに分割可能であり（図６参照）、投入口側可動ケース８０２が固定ケース７０上に取り付けられたまま、分割ラインＳ′−Ｓ′を境にして回動側可動ケース８０１が開く。つまり、回動側可動ケース８０１が開いた状態では、この回動側可動ケース８０１からは、固定ケース７０側のアイボルト９４は外れているが、投入口側可動ケース８０２と固定ケース７０とは、他のアイボルト９４によって取付状態が維持される。
【００６７】
回動側可動ケース８０１と投入口側可動ケース８０２との接合構造は、従来のフランジ同士を当接させる構造と基本的に同じであり、回動側可動ケース８０１側には、可動ケース側取付部８４の延長である回動側フランジ部８０３が設けられ、投入口側可動ケース８０２には、アイボルト８０５が取り付けられた投入口側フランジ部８０４が設けられている。各フランジ部８０３，８０４同士の接合は、アイボルト８０５を回動させて回動側フランジ部８０３に係合させ、このアイボルトに螺合したナット８０６を締め付けることで行われる。
【００６８】
このような可動ケース８０のライナ交換姿勢では、第１反発板３３１の上方に設けられたライナ３３７が横方向にも露出し、ライナ３３７を可動ケース側側面部８２側から容易に挿抜して交換することが可能である。ただし、このようなライナ交換姿勢で、第１〜第３反発板３３１〜３３３の点検作業や交換作業を行ってもよい。
【００６９】
〔移動式破砕機の輸送についての説明〕
図１７には、移動式破砕機１の輸送にあたって、この移動式破砕機１をトレーラＴの荷台上に積んだ状態が示されている。
このような状態では、クラッシャ３０の可動ケース８０は、輸送時の高さ制限をクリアするために輸送姿勢とされ、可動ケース８０が固定ケース７０の上側を呑み込むように沈み込んでいる。
【００７０】
また、図１にも示した回転灯２５など、輸送時の高さ制限を越えるもので、かつ構造的に簡易なものは、適宜下方にずらしたり等して高さ制限をクリアさせている。そして、フィーダ４２の下方のベルトコンベア４３は、折曲されて上方に跳ね上げられ、ベルトコンベア４３を外すことなく、幅制限をもクリアさせている。
【００７１】
さらに、図１８、図１９には、輸送途中に桁下寸法の低い陸橋の下などを通過する必要があるなど、より厳しい高さ制限をクリアするための輸送形態について示されている。
すなわち、図１８に示す移動式破砕機１では、クラッシャ３０から可動ケース８０が丸ごと取り外されており、可動ケース８０を図１９に示す別のトレーラＴ′で輸送する。可動ケース８０を固定ケース７０から外すには、図６、図７に示したケース用支持ピン３９３を取り外せばよく、容易に行える。
【００７２】
この他、移動式破砕機１からは、ホッパ４１、クラッシャ３０周りのハンドレール（手摺）２６，２７、および排出ベルトコンベア５０などが外され、これらを同様に、別のトレーラで輸送する。ただし、図１９では、排出ベルトコンベア５０の図示を省略してある。また、走行レバー４Ａは可倒式とされ、倒し込まれた状態にされる。
このように、移動式破砕機１の一部を取り外すことは、輸送時の重量制限に対処する場合にも有効である。
【００７３】
〔実施形態の効果〕
このような本実施形態によれば、以下のような効果がある。
(１)移動式破砕機１に搭載されたクラッシャ３０では、ケース３１が固定ケース７０および可動ケース８０を有した分割式とされているが、固定ケース７０の上縁７２４が可動ケース８０の上縁８２０よりも下方に位置するように分割ラインＳ−Ｓが設定され、固定ケース７０の上側開口全体を覆うように可動ケース８０が取り付けられているので、移動式破砕機１をトレーラ輸送する場合には、最も高い位置に配置される可動ケース８０の投入口３１Ａ側を固定ケース７０に対して下方に沈み込ませればよく、これによりケース３１全体の高さ寸法を小さくでき、輸送時の高さ制限を確実にクリアできる。
【００７４】
(２)そして、大きなケース３１のクラッシャ３０を搭載しても、輸送時の高さ制限上何ら問題がないから、クラッシャ３０の大型化を確実に促進でき、大型のクラッシャ３０を用いて作業効率を大幅に向上させることができる。
また、クラッシャ３０（ケース３１）の大型化に伴って投入口３１Ａも大きな開口面積にでき、被破砕物を容易に投入できるうえ、投入口３１Ａで被破砕物が詰まるのを防止して確実に投入できる。
【００７５】
(３)ケース３１の可動ケース８０は、固定ケース７０の上部を呑み込む構造になっているので、可動ケース８０を回動機構３９によって回動させ、その投入口３１Ａ側を下方に沈めればよく、可動ケース８０を固定ケース７０から完全に取り外さなくとも、ケース３１の高さ寸法を容易に小さくできる。
【００７６】
(４)ケース３１では、回動機構３９のケース用支持ピン３９３を外した後、固定ケース７０から可動ケース８０を丸ごと外し、さらに、フレーム２０からホッパ４１および排出ベルトコンベア５０などを外すことにより、移動式破砕機１側を一層低くでき、一段と厳しい高さ制限をクリアできる。
そして、移動式破砕機１側から外された可動ケース８０やホッパ４１等は、高さ寸法がさほど大きくないために、輸送時の高さ制限を気にすることなく、これらを別なトレーラで支障なく輸送できる。
【００７７】
(５)クラッシャ３０で破砕作業を行う場合には、可動ケース８０を作業姿勢にし、中間取付具９０を介して固定ケース７０と接合させればよく、破砕作業時に不意に下方に沈み込んだりする心配がない。
また、移動式破砕機１の輸送時には、沈み込んだ可動ケース８０が当接部７２５で確実に支持されるため、必要以上に下がり過ぎる心配がなく、輸送姿勢を良好に維持できる。
可動ケース８０のメンテナンス姿勢においては、開けられた可動ケース８０がロックピン３９６によって確実にロックされるため、やはりメンテナンス姿勢を良好に維持でき、第１〜第３反発板３３１〜３３３の点検や交換作業を負担なく実施できる。このことは、可動ケース８０の回動側可動ケース８０１が開けられるライナ交換姿勢においても、同様である。
以上、可動ケース８０を各種作業に応じて適切な姿勢に維持でき、クラッシャ３０としての使い勝手を向上させることができる。
【００７８】
(６)可動ケース８０には、フィーダ４２側に延出した軒部８３が一体に設けられているため、ケース３１内で弾けた被破砕物が軒部８３にぶつるようになり、投入口３１Ａから飛び出すのを防止できる。
また、このような軒部８３を設けることにより、ケース３１内からの被破砕物の飛び出しを気にしなくてよいから、投入口３１Ａを大きく設計でき、この点からも被破砕物を容易かつ確実に投入できる。
【００７９】
(７)しかも、この軒部８３には、鎖８３１および垂下部材８３２が吊着されるため、被破砕物の飛散をより確実に防止でき、投入された被破砕物を確実に破砕できる。
【００８０】
(８)可動ケース８０を回動させるための回動機構３９は、ケース３１全体の上部側に設けられているので、可動ケース８０の回動動作をより高い位置で行える。従って、回動機構３９よりも低い位置である固定ケース７０の前方側では、ケース３１を開く際に要するスペースをほとんど不要にでき、その分、動力部４をクラッシャ３０側に寄せて配置できるなど、デッドスペースをなくしてスペースを有効に利用できる。
【００８１】
(９)動力部４をクラッシャ３０に寄せて配置できることにより、移動式破砕機の全長（前後方向の長さ）を短くできるから、移動式破砕機１全体をコンパクトにできる。このため、移動式破砕機１の機動性、特に、旋回性能を向上させることができ、狭い現場でも確実に稼働させることができる。
【００８２】
(10)回動機構３９は、投入口３１Ａとは反対側に設けられ、しかも上部側に位置しているため、可動ケース８０を所定の角度だけ上向に回動させた場合など、回動機構３９が下部寄りにある場合に比して、投入口３１Ａをより上方に拡がるように大きくでき、投入口３１Ａへの被破砕物の投入を一層容易にできるうえ、詰まり等もより確実に防止できる。
【００８３】
(11)回動機構３９が上部側にあると、可動ケース８０を回動させた際には、投入口３１Ａ側がより鉛直に近い軌跡を描くようになるため、所定量だけ上下動させる際には、その軌跡をより短くでき、特に、作業姿勢から投入口３１Ａのを沈み込ませて輸送姿勢にしたり、輸送姿勢から作業姿勢に戻すのを迅速に行える。
【００８４】
(12)投入口３１Ａはケース３１の上部側に設けられるのが一般的であるが、回動機構３９をも投入口３１Ａ側に設けると、可動ケース８０を開けた時に、ホッパ４１やフィーダ４２と可動ケース８０とが干渉するおそれがあるため、ホッパ４１やフィーダ４２に何らかの退避手段を設ける必要があり、退避させるための退避スペースをも確保せざるを得ない。従って、その退避スペースが退避時以外には使用されないデッドスペースになり、移動式破砕機１の全長が大きくなって機動性が阻害される心配がある。これに対して、本実施形態では、回動機構３９が投入口３１Ａとは反対側に設けられているので、そのようなホッパ４１やフィーダ４２を退避させる必要がなく、その分の退避スペースをも不要にでき、移動式破砕機１全体の小型化をより促進できる。
【００８５】
(13)可動ケース８０を輸送姿勢にするにあたり、固定ケース側取付部７４と可動ケース側取付部８４とは、可動ケース８０を動作させても干渉しない位置にあるため、固定ケース側取付部７４から中間取付具９０を外すことで、固定ケース７０と可動ケース８０との固定状態を解除すれば、可動ケース８０を固定ケース７０の下方側に確実に沈み込ませることができる。
【００８６】
(14)この際、固定ケース７０と可動ケース８０とは中間取付具９０を介して固定されているため、この中間取付具９０の分、固定ケース側側面部７２および可動ケース側側面部８２間の隙間を大きくでき、可動ケース８０を沈み込ませる時など、各取付部７４，８４の干渉をより確実に防止でき、沈み込み動作をスムーズに行える。
【００８７】
(15)クラッシャ３０においては、固定ケース側側面部７２および可動ケース側側面部８２間の隙間が大きく、各取付部７４，８４同士が離れていても、可動ケース側取付部８４と中間取付具９０とを密着させ、また、固定ケース側取付部７４と中間取付具９０とを密着させることにより、これらの固定ケース７０および可動ケース８０同士を中間取付具９０を介して隙間なく固定することができ、防塵性を向上させることができる。
【００８８】
(16)さらに、固定ケース７０と可動ケース８０との間には、中間取付具９０が介装されているだけであり、固定ケース７０に対する可動ケース８０の保持部分の構造を簡素化できるから、ケース３１が必要以上に大型化せず、その分、輸送時のトレーラ等の荷台スペースを有効に利用できる。
【００８９】
(17)中間取付具９０の水平部９２は、固定ケース側取付部７４の受け部７４１で支持されているため、固定ケース側取付部７４で中間取付具９０ひいては大重量の可動ケース８０を支持できる。従って、可動ケース８０による大きな荷重は、中間取付具９０を固定するためのボルト９３には直に作用せず、ボルト９３を小さくでき、その取付作業および取外作業を容易にできる。
【００９０】
(18)また、可動ケース側取付部８４と中間取付具９０とにおいても、互いを固定できる程度のアイボルト９４およびナット９４３を採用すればよいから、やはり可動ケース８０の大きな荷重を考慮した大きな固定用取付具を不要にでき、その取付作業および取外作業を容易にできる。
【００９１】
(19)中間取付具９０を固定ケース７０から外す場合には、この中間取付具９０を可動ケース側取付部８４の切欠部８４２に沿ってスライドさせ、よって固定ケース側取付部７４から離間させればよく、反対に、中間取付具９０を固定ケース７０に取り付ける場合には、中間取付具９０を離間した状態からスライドさせて固定ケース側取付部７４に近接させればよく、固定ケース７０に対する中間取付具９０の着脱を容易にできる。
【００９２】
なお、本発明は、前記実施形態に限定されるものではなく、本発明の目的を達成できる他の構成等を含み、以下に示すような変形等も本発明に含まれる。
例えば、前記実施形態では、可動ケース８０の投入口３１Ａ側には、軒部８３が一体に設けられていたが、このような軒部８３がない場合でも、請求項４の発明を除く他の発明に含まれる。しかしながら、このような軒部８３は、可動ケース８０が作業姿勢にある時は、最も高い位置に突出することになるが、可動ケース８０を輸送姿勢にすることで下方に沈み込むため、高さ制限上は何ら問題にならない。従って、前述の(６)の効果を得ることができることを考慮すると、軒部８３を設けることが望ましい。
【００９３】
前記実施形態では、可動ケース８０として、作業姿勢、メンテナンス姿勢、輸送姿勢、およびライナ交換姿勢の姿勢をとることができたが、このうちのメンテナンス姿勢およびライナ交換姿勢は、ケース３１の内部構造、具体的には反発板３３やアーム３３４，３３５の数、形状、配置位置、さらには破砕装置の種類等を勘案し、適宜に省略可能である。
【００９４】
前記実施形態では、可動ケース８０が固定ケース７０の上部側を呑み込む構造であったが、本発明はこれに限定されず、例えば、可動ケース８０の下部側が固定ケース７０の内部に呑み込まれる構造であってもよく、いずれのケースが呑み込まれるかは、その実施にあたって任意に決められてよい。
【００９５】
前記実施形態では、可動ケース８０を回動させるための回動機構３９が、投入口３１Ａとは反対側に設けられていたが、このような回動機構３９を投入口３１Ａ側に設けた場合でも、請求項３の発明を除く他の発明に含まれる。ただし、回動機構３９を投入口３１Ａ側に設けると、前述の(12)の効果が得られないため、やはり投入口３１Ａとは反対側に設けることが望ましい。
【００９８】
さらに、図２０のように、ケース９００を左右に２分するように分割ラインＳ−Ｓが設けられている場合でも、その回動機構がケース９００全体の上部側に設けられていれば、請求項５の発明に含まれる。
【００９９】
前記実施形態の移動式破砕機１は、クローラ式の走行部１０を備えた自走式であったが、クローラ式に限らず車輪式であってもよく、また、自走式に限らず、牽引式であってもよい。要するに、移動可能に構成されていれば、本発明の移動式破砕機に含まれる。
【０１００】
本発明の破砕装置としては、前記実施形態で説明したインパクトクラッシャ３０に限らず、例えば、ジョークラッシャ、シェアクラッシャ、コーンクラッシャ、ロールクラッシャ等、任意のクラッシャであってよい。
【０１０１】
そして、本発明の破砕装置は、移動式破砕機１に搭載されるものに限定されず、例えば、専用の破砕場に置かれた定置式であってもよい。このような場合でも、何らかの理由によって破砕装置の輸送が必要になった場合には、可動ケース８０を輸送姿勢にすることで、輸送時の高さ制限を確実にクリアできる。
【０１０２】
その他、フレーム２０、被破砕物供給部４０、排出ベルトコンベア５０等の構成は勿論、ケース３１の固定ケース側取付部７４、可動ケース側取付部８４、中間取付具９０の具体的な形状等も、本発明の目的を達成できる範囲で任意に変更可能であり、前記実施形態に限定されない。
【図面の簡単な説明】
【図１】本発明の一実施形態に係る破砕装置を搭載した移動式破砕機を示す側面図である。
【図２】前記移動式破砕機を被破砕物の投入側から見た図である。
【図３】前記移動式破砕機を示す平面図である。
【図４】前記破砕装置のケースを構成する可動ケースが作業姿勢にある状態を示す側面図である。
【図５】前記破砕装置の内部構造の一部を示す断面図である。
【図６】前記破砕装置を示す分解斜視図である。
【図７】図４のVII−VII線断面図であり、前記ケースの要部を示す断面図である。
【図８】前記ケースの別の要部を示す側面図（Ａ）および断面図（Ｂ）である。
【図９】前記可動ケースの要部を示す斜視図である。
【図１０】前記ケースに用いられる中間取付具を示す斜視図である。
【図１１】前記固定ケースおよび可動ケースの保持部分を示す断面図である。
【図１２】前記可動ケースを開ける動作を説明するための断面図である。
【図１３】  前記可動ケースがメンテナンス姿勢にある状態を示す側面図である。
【図１４】前記可動ケースを沈み込ませる動作を説明するための断面図である。
【図１５】  前記可動ケースが輸送姿勢にある状態を示す側面図である。
【図１６】前記可動ケースがライナ交換姿勢にある状態を示す側面図である。
【図１７】前記移動式破砕機を分解せずに輸送する場合を示す図である。
【図１８】前記移動式破砕機を一部分解して輸送する場合を示す図である。
【図１９】前記移動式破砕機から分解した部位の輸送を説明するための図である。
【図２０】従来の破砕装置のケースを示す側面図である。
【符号の説明】
１…移動式破砕機、２…基台部、４…動力部、１０…走行部、３０…破砕装置であるインパクトクラッシャ、３１…ケース、３１Ａ…投入口、３９…回動機構、７０…固定ケース、８０…可動ケース、８３…軒部、７２４，８２０…上縁。
【図１】
0004879414.tif 000002
【図２】
0004879414.tif 000003
【図３】
0004879414.tif 000004
【図４】
0004879414.tif 000005
【図５】
0004879414.tif 000006
【図６】
0004879414.tif 000007
【図７】
0004879414.tif 000008
【図８】
0004879414.tif 000009
【図９】
0004879414.tif 000010
【図１０】
0004879414.tif 000011
【図１１】
0004879414.tif 000012
【図１２】
0004879414.tif 000013
【図１３】
0004879414.tif 000014
【図１４】
0004879414.tif 000015
【図１５】
0004879414.tif 000016
【図１６】
0004879414.tif 000017
【図１７】
0004879414.tif 000018
【図１８】
0004879414.tif 000019
【図１９】
0004879414.tif 000020
【図２０】
0004879414.tif 000021